【手続補正書】
【提出日】平成20年4月1日(2008.4.1)
【手続補正１】
【補正対象書類名】特許請求の範囲
【補正対象項目名】全文
【補正方法】変更
【補正の内容】
【特許請求の範囲】
【請求項１】
印刷装置が解釈できる印刷データを生成するプリンタドライバを備えた情報処理装置であって、
前記印刷データを生成するために使用されるデータを記憶する記憶手段と、
前記プリンタドライバの印刷設定画面を用いて設定された印刷設定情報と前記記憶手段に記憶されたデータとに基づく印刷プレビュー画像を生成する生成手段と、
前記生成手段によって生成された印刷プレビュー画像を表示するプレビュー画像表示手段と、
前記プレビュー画像表示手段が前記プレビュー画像を表示した後にページの拡大または縮小を伴う前記印刷設定情報の変更を受け付ける受付手段とを有し、
前記生成手段は、前記受付手段によって受け付けられたページの拡大または縮小を伴う印刷設定情報の変更指示と前記記憶手段に記憶されている前記印刷データを生成するために使用されるデータとに基づいて印刷プレビュー画像を生成し、
前記印刷プレビュー画像表示手段は、当該印刷プレビュー画像を表示することを特徴とする情報処理装置。
【請求項２】
前記記憶手段に記憶される前記データとはアプリケーションから出力されるデータに基づく中間データであることを特徴とする請求項１に記載の情報処理装置。
【請求項３】
前記ページの拡大または縮小を伴う印刷設定情報の変更指示とは、印刷結果のシートの面に配置されるページ数を示すページレイアウトを変更する指示であることを特徴とする請求項１または２に記載の情報処理装置。
【請求項４】
前記プレビュー画像表示手段が前記プレビュー画像を表示している際に、前記受付手段は、ページの拡大または縮小を伴う前記印刷設定情報の変更を受け付けることを特徴とする請求項１乃至３のいずれか１項に記載の情報処理装置。
【請求項５】
前記受付手段は、両面印刷と片面印刷と製本印刷との少なくとも１つを指定する印刷方法、および、印刷結果のシートの面に配置されるページ数を示すページレイアウトの少なくとも１つの変更を受け付けることを特徴とする請求項１乃至４のいずれか１項に記載の情報処理装置。
【請求項６】
前記記憶手段に記憶されている前記印刷データを生成するために使用されるデータと前記受付手段によって受け付けられた印刷設定情報の変更指示とに基づいて前記印刷データを生成する印刷データ生成手段を更に備えることを特徴とする請求項１乃至５のいずれか１項に記載の情報処理装置。
【請求項７】
アプリケーションによって出力されるデータに基づいて印刷装置が解釈できる印刷データを生成するプリンタドライバを備えた情報処理装置であって、
前記プリンタドライバの印刷設定画面を用いて印刷結果のシートの面に配置されるページ数を示すページレイアウトを含む印刷設定情報を設定する設定手段と、
前記アプリケーションから出力されるデータと前記設定手段によって設定された印刷設定情報とに基づく印刷プレビュー画像を表示するプレビュー画像表示手段と、
前記印刷プレビュー画像が表示されている際に前記ページレイアウトを変更するための指示を受け付ける受付手段とを有し、
前記プレビュー画像表示手段は、前記受付手段によって受け付けられたページレイアウトを変更するための指示に従って変更された印刷プレビュー画像を表示することを特徴とする情報処理装置。
【請求項８】
印刷装置が解釈できる印刷データを生成するプリンタドライバを備え、前記印刷データを生成するために使用されるデータを記憶する記憶手段を備えた情報処理装置における制御方法であって、
前記プリンタドライバの印刷設定画面を用いて設定された印刷設定情報と前記記憶手段に記憶されたデータとに基づく印刷プレビュー画像を生成する生成工程と、
前記生成工程によって生成された印刷プレビュー画像を表示するプレビュー画像表示工程と、
前記プレビュー画像表示工程が前記プレビュー画像を表示した後にページの拡大または縮小を伴う前記印刷設定情報の変更を受け付ける受付工程とを有し、
前記生成工程は、前記受付工程によって受け付けられたページの拡大または縮小を伴う印刷設定情報の変更指示と前記記憶手段に記憶されている前記印刷データを生成するために使用されるデータとに基づいて印刷プレビュー画像を生成し、
前記印刷プレビュー画像表示工程は、当該印刷プレビュー画像を表示することを特徴とする制御方法。
【請求項９】
前記記憶手段に記憶される前記データとはアプリケーションから出力されるデータに基づく中間データであることを特徴とする請求項８に記載の制御方法。
【請求項１０】
前記ページの拡大または縮小を伴う印刷設定情報の変更指示とは、印刷結果のシートの面に配置されるページ数を示すページレイアウトを変更する指示であることを特徴とする請求項８または９に記載の制御方法。
【請求項１１】
前記プレビュー画像表示工程が前記プレビュー画像を表示している際に、前記受付工程は、ページの拡大または縮小を伴う前記印刷設定情報の変更を受け付けることを特徴とする請求項８乃至１０のいずれか１項に記載の制御方法。
【請求項１２】
前記受付工程は、両面印刷と片面印刷と製本印刷との少なくとも１つを指定する印刷方法、および、印刷結果のシートの面に配置されるページ数を示すページレイアウトの少なくとも１つの変更を受け付けることを特徴とする請求項８乃至１１のいずれか１項に記載の制御方法。
【請求項１３】
前記記憶手段に記憶されている前記印刷データを生成するために使用されるデータと前記受付工程によって受け付けられた印刷設定情報の変更指示とに基づいて前記印刷データを生成する印刷データ生成工程を更に備えることを特徴とする請求項８乃至１２のいずれか１項に記載の制御方法。
【請求項１４】
アプリケーションによって出力されるデータに基づいて印刷装置が解釈できる印刷データを生成するプリンタドライバを備えた情報処理装置における制御方法であって、
前記プリンタドライバの印刷設定画面を用いて印刷結果のシートの面に配置されるページ数を示すページレイアウトを含む印刷設定情報を設定する設定工程と、
前記アプリケーションから出力されるデータと前記設定工程によって設定された印刷設定情報とに基づく印刷プレビュー画像を表示するプレビュー画像表示工程と、
前記印刷プレビュー画像が表示されている際に前記ページレイアウトを変更するための指示を受け付ける受付工程とを有し、
前記プレビュー画像表示工程は、前記受付工程によって受け付けられたページレイアウトを変更するための指示に従って変更された印刷プレビュー画像を表示することを特徴とする制御方法。
【請求項１５】
印刷装置が解釈できる印刷データを生成するプリンタドライバを備え、前記印刷データを生成するために使用されるデータを記憶する記憶手段を備えた情報処理装置において実行される制御プログラムを記憶した記憶媒体であって、
前記プリンタドライバの印刷設定画面を用いて設定された印刷設定情報と前記記憶手段に記憶されたデータとに基づく印刷プレビュー画像を生成する生成工程と、
前記生成工程によって生成された印刷プレビュー画像を表示するプレビュー画像表示工程と、
前記プレビュー画像表示工程が前記プレビュー画像を表示した後にページの拡大または縮小を伴う前記印刷設定情報の変更を受け付ける受付工程とを有し、
前記生成工程は、前記受付工程によって受け付けられたページの拡大または縮小を伴う印刷設定情報の変更指示と前記記憶手段に記憶されている前記印刷データを生成するために使用されるデータとに基づいて印刷プレビュー画像を生成し、
前記印刷プレビュー画像表示工程は、当該印刷プレビュー画像を表示することを前記情報処理装置に実行させるコンピュータ読み取り可能な制御プログラムを記憶した記憶媒体。
【請求項１６】
前記記憶手段に記憶される前記データとはアプリケーションから出力されるデータに基づく中間データであることを特徴とする請求項１５に記載の記憶媒体。
【請求項１７】
前記ページの拡大または縮小を伴う印刷設定情報の変更指示とは、印刷結果のシートの面に配置されるページ数を示すページレイアウトを変更する指示であることを特徴とする請求項１５または１６に記載の記憶媒体。
【請求項１８】
前記プレビュー画像表示工程が前記プレビュー画像を表示している際に、前記受付工程は、ページの拡大または縮小を伴う前記印刷設定情報の変更を受け付けることを特徴とする請求項１５乃至１７のいずれか１項に記載の記憶媒体。
【請求項１９】
前記受付工程は、両面印刷と片面印刷と製本印刷との少なくとも１つを指定する印刷方法、および、印刷結果のシートの面に配置されるページ数を示すページレイアウトの少なくとも１つの変更を受け付けることを特徴とする請求項１５乃至１８のいずれか１項に記載の記憶媒体。
【請求項２０】
前記記憶手段に記憶されている前記印刷データを生成するために使用されるデータと前記受付工程によって受け付けられた印刷設定情報の変更指示とに基づいて前記印刷データを生成する印刷データ生成工程を更に備えることを特徴とする請求項１５乃至１９のいずれか１項に記載の記憶媒体。
【請求項２１】
アプリケーションによって出力されるデータに基づいて印刷装置が解釈できる印刷データを生成するプリンタドライバを備えた情報処理装置において実行される制御プログラムを記憶した記憶媒体であって、
前記プリンタドライバの印刷設定画面を用いて印刷結果のシートの面に配置されるページ数を示すページレイアウトを含む印刷設定情報を設定する設定工程と、
前記アプリケーションから出力されるデータと前記設定工程によって設定された印刷設定情報とに基づく印刷プレビュー画像を表示するプレビュー画像表示工程と、
前記印刷プレビュー画像が表示されている際に前記ページレイアウトを変更するための指示を受け付ける受付工程とを有し、
前記プレビュー画像表示工程は、前記受付工程によって受け付けられたページレイアウトを変更するための指示に従って変更された印刷プレビュー画像を表示することを前記情報処理装置に実行させるコンピュータが読み取り可能な制御プログラムを記憶した記憶媒体。
【請求項２２】
アプリケーションによって出力されるデータに基づいて印刷装置が解釈できる印刷データを生成するプリンタドライバを備えた情報処理装置であって、
前記プリンタドライバの印刷設定画面を用いて設定された印刷設定情報と前記アプリケーションから出力されるデータに基づく印刷プレビュー画像を含む操作画面を表示する表示手段と、
前記表示手段によって表示された前記操作画面を用いて前記プリンタドライバの印刷設定画面を表示するための指示を受け付ける受付手段と、
前記受付手段によって受け付けられた当該指示に従って表示された前記プリンタドライバの印刷設定画面を用いて前記印刷設定情報を変更する変更手段とを有し、
前記表示手段は、前記変更手段によって変更された印刷設定情報が反映された印刷プレビュー画像を表示することを特徴とする情報処理装置。
【請求項２３】
アプリケーションによって出力されるデータに基づいて印刷装置が解釈できる印刷データを生成するプリンタドライバを備えた情報処理装置における制御方法であって、
前記プリンタドライバの印刷設定画面を用いて設定された印刷設定情報と前記アプリケーションから出力されるデータに基づく印刷プレビュー画像を含む操作画面を表示する表示工程と、
前記表示工程によって表示された前記操作画面を用いて前記プリンタドライバの印刷設定画面を表示するための指示を受け付ける受付工程と、
前記受付工程によって受け付けられた当該指示に従って表示された前記プリンタドライバの印刷設定画面を用いて前記印刷設定情報を変更する変更工程とを有し、
前記表示工程は、前記変更工程によって変更された印刷設定情報が反映された印刷プレビュー画像を表示することを特徴とする制御方法。
【請求項２４】
アプリケーションによって出力されるデータに基づいて印刷装置が解釈できる印刷データを生成するプリンタドライバを備えた情報処理装置において実行される制御プログラムを記憶した記憶媒体であって、
前記プリンタドライバの印刷設定画面を用いて設定された印刷設定情報と前記アプリケーションから出力されるデータに基づく印刷プレビュー画像を含む操作画面を表示する表示工程と、
前記表示工程によって表示された前記操作画面を用いて前記プリンタドライバの印刷設定画面を表示するための指示を受け付ける受付工程と、
前記受付工程によって受け付けられた当該指示に従って表示された前記プリンタドライバの印刷設定画面を用いて前記印刷設定情報を変更する変更工程とを有し、
前記表示工程は、前記変更工程によって変更された印刷設定情報が反映された印刷プレビュー画像を表示することを前記情報処理装置に実行させるコンピュータが読み取り可能な制御プログラムを記憶した記憶媒体。
【請求項２５】
前記プリンタドライバの印刷設定画面は、前記操作画面を用いて設定できない設定項目を備えることを特徴とする請求項２２に記載の情報処理装置。
【請求項２６】
前記プリンタドライバの印刷設定画面は、前記操作画面を用いて設定できない設定項目を備えることを特徴とする請求項２３に記載の制御方法。
【請求項２７】
前記プリンタドライバの印刷設定画面は、前記操作画面を用いて設定できない設定項目を備えることを特徴とする請求項２５に記載の記憶媒体。
【手続補正２】
【補正対象書類名】明細書
【補正対象項目名】００１０
【補正方法】変更
【補正の内容】
【００１０】
上記目的を達成するために、本発明は次のような構成からなる。すなわち、印刷装置が解釈できる印刷データを生成するプリンタドライバを備えた情報処理装置であって、前記印刷データを生成するために使用されるデータを記憶する記憶手段と、前記プリンタドライバの印刷設定画面を用いて設定された印刷設定情報と前記記憶手段に記憶されたデータとに基づく印刷プレビュー画像を生成する生成手段と、前記生成手段によって生成された印刷プレビュー画像を表示するプレビュー画像表示手段と、前記プレビュー画像表示手段が前記プレビュー画像を表示した後にページの拡大または縮小を伴う前記印刷設定情報の変更を受け付ける受付手段とを有し、前記生成手段は、前記受付手段によって受け付けられたページの拡大または縮小を伴う印刷設定情報の変更指示と前記記憶手段に記憶されている前記印刷データを生成するために使用されるデータとに基づいて印刷プレビュー画像を生成し、前記印刷プレビュー画像表示手段は、当該印刷プレビュー画像を表示する。
【手続補正３】
【補正対象書類名】明細書
【補正対象項目名】００１１
【補正方法】変更
【補正の内容】
【００１１】
また、アプリケーションによって出力されるデータに基づいて印刷装置が解釈できる印刷データを生成するプリンタドライバを備えた情報処理装置であって、前記プリンタドライバの印刷設定画面を用いて印刷結果のシートの面に配置されるページ数を示すページレイアウトを含む印刷設定情報を設定する設定手段と、前記アプリケーションから出力されるデータと前記設定手段によって設定された印刷設定情報とに基づく印刷プレビュー画像を表示するプレビュー画像表示手段と、前記印刷プレビュー画像が表示されている際に前記ページレイアウトを変更するための指示を受け付ける受付手段とを有し、前記プレビュー画像表示手段は、前記受付手段によって受け付けられたページレイアウトを変更するための指示に従って変更された印刷プレビュー画像を表示することを特徴とする情報処理装置。